(57)【要約】【課題】特にボトムエミッションの有機ＥＬパネルに関し、デメリットとみなされる支持基板の側方から漏れる光を低減し、また、この光を有効に活用して発光ディスプレイとしての商品性を向上させることが可能な有機ＥＬパネルを提供する。【解決手段】透光性の支持基板１と、支持基板１上に透光性の第一電極２と少なくとも有機発光層を有する機能層３と第二電極４とを積層形成してなる積層体と、を備え、支持基板１側から光Ｌ１を出射してなる有機ＥＬパネルであって、支持基板１の前記積層体よりも外側に支持基板１内を通る光Ｌ２を出射面に向けて反射する傾斜面を設けてなることを特徴とする。【選択図】  図１
2010272327.tif 000002
【特許請求の範囲】
【請求項１】
透光性の支持基板と、前記支持基板上に透光性の第一電極と少なくとも有機発光層を有する機能層と第二電極とを積層形成してなる積層体と、を備え、前記支持基板側から光を出射してなる有機ＥＬパネルであって、
前記支持基板の前記積層体よりも外側に前記支持基板内を通る光を出射面に向けて反射する傾斜面を設けてなることを特徴とする有機ＥＬパネル。
【請求項２】
前記傾斜面は、鏡面であることを特徴とする請求項１に記載の有機ＥＬパネル。
【請求項３】
前記支持基板に前記積層体から光が直接出射される個所と前記傾斜面で反射した光が出射される個所とを仕切る遮光層が形成されてなることを特徴とする請求項１に記載の有機ＥＬパネル。
【請求項４】
前記傾斜面あるいは前記支持基板の前記傾斜面で反射した光が出射される個所に、光の色を変換するための色変換部材を設けてなることを特徴とする請求項１に記載の有機ＥＬパネル。
【発明の詳細な説明】
【技術分野】
【０００１】
本発明は、有機ＥＬ（エレクトロルミネッセンス）パネルに関する。
【背景技術】
【０００２】
従来、有機材料によって形成される自発光素子である有機ＥＬ素子を備える有機ＥＬパネルは、例えば、陽極となるインジウム錫酸化物（ＩＴＯ）等からなる第一電極と、少なくとも有機発光層を有する機能層と、陰極となるアルミニウム（Ａｌ）等からなる非透光性の第二電極と、透光性の支持基板上に順次積層するものが知られている（例えば、特許文献１参照）。かかる有機ＥＬ素子は、前記第一電極から正孔を注入し、また、第二電極から電子を注入して正孔及び電子が前記発光層にて再結合することによって光を発するものである。有機ＥＬパネルは、視認性や低温環境下での応答性に優れているため表示の瞬間判読が必要な車両用計器などの表示装置に適用されることが望まれている。
【０００３】
また、有機ＥＬパネルには、前記支持基板側から光を取り出すボトムエミッション型と、前記有機ＥＬ素子側から光を取り出すトップエミッション型とがある。ボトムエミッション型の有機ＥＬパネルにおいては、前記有機ＥＬ素子から発せられた光は前記支持基板を介して外部に出射される。
【先行技術文献】
【特許文献】
【０００４】
【特許文献１】特開昭５９−１９４３９３号公報
【特許文献２】特開２００４−１４６１２１号公報
【発明の概要】
【発明が解決しようとする課題】
【０００５】
しかしながら、かかる有機ＥＬパネルにおいては、互いに屈折率が異なる前記支持基板と空気との界面で全反射が起こり、前記有機ＥＬ素子からの光の全てを外部に取り出すことはできない。全反射された一部の光は、前記支持基板内を通って前記支持基板の側面から漏れるなどして有効に利用されず、側面から漏れる光はデメリットとしてみなされていた。これに対し特許文献２には、光反射部を前記支持基板の表面あるいは内部に設けて、側方に漏れる光を出射面に戻す方法が提案されている。しかし、かかる方法は照明として有機ＥＬパネルを利用する場合には有効であるが、発光ディスプレイとして用いる場合には、表示像を示す光と前記反射部で反射された光の区別が無くなり、発光ディスプレイとしての表示品質が低下するという問題点があった。
【０００６】
本発明は、この問題に鑑みなされたものであり、特にボトムエミッション型の有機ＥＬパネルにおいて、デメリットとみなされる支持基板の側方から漏れる光を低減し、また、この光を有効に活用して発光ディスプレイとしての商品性を向上させることが可能な有機ＥＬパネルを提供することを目的とするものである。
【課題を解決するための手段】
【０００７】
本発明は、前記課題を解決するために、透光性の支持基板と、前記支持基板上に透光性の第一電極と少なくとも有機発光層を有する機能層と第二電極とを積層形成してなる積層体と、を備え、前記支持基板側から光を出射してなる有機ＥＬパネルであって、
前記支持基板の前記積層体よりも外側に前記支持基板内を通る光を出射面に向けて反射する傾斜面を設けてなることを特徴とする。
【０００８】
また、前記傾斜面は、鏡面であることを特徴とする。
【０００９】
また、前記支持基板に前記積層体から光が直接出射される個所と前記傾斜面で反射して光が出射される個所とを仕切る遮光層が形成されてなることを特徴とする。
【００１０】
また、前記傾斜面に、光の色を変換するための色変換部材を設けてなることを特徴とする。
【発明の効果】
【００１１】
本発明は、特にボトムエミッション型の有機ＥＬパネルに関し、デメリットとみなされる支持基板の側方から漏れる光を低減し、また、この光を有効に活用して発光ディスプレイとしての商品性を向上させることが可能となるものである。
【図面の簡単な説明】
【００１２】
【図１】本発明の実施形態である有機ＥＬパネルを示す断面図。
【図２】同上有機ＥＬパネルを示す正面図。
【発明を実施するための形態】
【００１３】
以下、本発明の実施形態について添付図面に基づいて説明する。
【００１４】
有機ＥＬパネルは、支持基板１と、第一電極２と、機能層３と、第二電極４と、封止基板５と、吸湿部材６と、を備えている。
【００１５】
支持基板１は、長方形形状からなり、透光性のガラス基板によって形成されている。
【００１６】
第一電極２は、機能層３に正孔を注入する陽極となるものであり、支持基板１上にインジウム錫酸化物（ＩＴＯ）やインジウム亜鉛酸化物（ＩＺＯ）あるいは酸化亜鉛（ＺｎＯ）等の透光性導電材料をスパッタリング法等の手段によって層状に形成してなり、フォトエッチング等の手段によって所定の形状にパターニングされる。
【００１７】
機能層３は、少なくとも正孔及び電子の再結合によって光を発する有機発光層を有するものであれば良いが、本発明の実施形態においては正孔注入層，正孔輸送層，有機発光層及び電子輸送層を順次積層して形成してなるものである。
【００１８】
第二電極４は、機能層３に電子を注入する陰極となるものであり、機能層３上に例えばＡｌ等の低抵抗の導電材料を蒸着法等の手段によって層状に形成してなる反射電極である。
【００１９】
以上のように、支持基板１上に前述した第一電極２と機能層３と第二電極４とを順次積層形成することによって積層体（有機ＥＬ素子）が設けられる。
【００２０】
封止基板５は、ガラス材料から構成されるもので、本実施形態においては凹形状となるように形成される。封止基板５は、前記有機ＥＬ素子との対向面５ａに吸湿部材６が塗布されている。また、封止基板５は、周辺部５ｂが紫外線硬化型の接着剤７を介して支持基板１と接着固定され、前記有機ＥＬ素子を気密的に収納する収納空間を構成する。
【００２１】
吸湿部材６は、支持基板１上に配設された封止基板５の前記有機ＥＬ素子との対向面５ａに配設され、前記収納空間内及び前記積層体に含まれる水分を吸着するものである。吸湿部材６としては、たとえば活性アルミナ，モレキュラーシーブス，酸化カルシウム及び酸化バリウムなどの物理的あるいは化学的に水分を吸着する吸着剤と、耐熱温度が１５０℃以上で含水率が０．５％以下のシリコーンゴムからなりその平均粒径が５μｍ程度の球体からなる樹脂微粒子と、をフッ素系オイルからなる不活性液体中に混合してなるものが用いられ、吸着剤が流動しない程度の粘性（例えば５０，０００ｃｐ）を有するクリーム状部材であることが好ましい。吸湿部材６は、封止基板５を支持基板１上に配設した際に対向面５ａに塗布される吸湿部材６が前記積層体に接触しないように薄く均一的に形成される。
【００２２】
以上の各部により有機ＥＬパネルが構成されている。有機ＥＬパネルは、前記積層体から発せられる光Ｌ１を支持基板１の出射面１ａから出射する。
【００２３】
また、支持基板１の前記積層体よりも外側には、傾斜面１ｂが一体的に形成されている。なお、本実施形態においては、傾斜面１ｂは支持基板１の４つの側面それぞれに前記積層体を囲むように形成されている。傾斜面１ｂは、エッチングや切削等の手段によって形成されるものである。ここで、傾斜面１ａは、前記積層体から発せられ支持基板１の出射面１ａと空気層との界面で反射されて支持基板１内を通る光Ｌ２を再度支持基板１の出射面１ａに向けて反射するものである。傾斜面１ｂはアルミニウム（Ａｌ）等の金属材料を薄膜状に形成して鏡面とすることが望ましい。傾斜面１ｂにて反射された光Ｌ２は、支持基板１から出射される。本実施形態においては、図２に示すように光Ｌ２は支持基板１から光Ｌ１が直接出射される第一の発光表示部Ａを囲む環状の第二の発光表示部Ｂから出射される。光Ｌ２による発光表示部Ｂは主に装飾に用いることができる。また、支持基板１の出射面１ａには第一の発光表示部Ａと第二の発光表示部Ｂとを仕切る遮光層８が形成されている。遮光層８は遮光性の樹脂材料などからなる。出射面１ａ上の第一，第二の発光表示部Ａ，Ｂを除く個所に形成される。
【００２４】
かかる構成により、支持基板１に傾斜面１ｂを形成することで従来は支持基板１の側方から漏れるのみであった光Ｌ２を出射面１ａから出射させて側方から漏れる光を低減することができ、また、この光Ｌ２を主に装飾に用いられる第二の発光表示部Ｂとして利用することで前記積層体から発せられる光を有効に活用して発光ディスプレイとしての商品性を向上させることができる。
【００２５】
なお、有機ＥＬパネルは、支持基板１の傾斜面１ｂあるいは出射面１ａの光Ｌ２が出射される個所に有色のフィルタやインキなどの色変換部材を設け、光Ｌ２による第二の発光表示部Ｂの発光色を光Ｌ１による第一の発光表示部Ａの発光色と異ならせるように構成してもよく、発光ディスプレイとしての更なる商品性の向上が期待できる。
【産業上の利用可能性】
【００２６】
本発明は、主に有機ＥＬパネルに関するものであり、特にボトムエミッション型の有機ＥＬパネルに好適である。
【符号の説明】
【００２７】
１  支持基板
１ａ  傾斜面
２  第一電極
３  機能層
４  第二電極
５  封止基板
６  吸湿部材
７  接着剤
８  遮光層
【図１】
2010272327.tif 000003
【図２】
2010272327.tif 000004